(57)【特許請求の範囲】
【請求項１】
床面上に人工芝を引き出して展開する敷設構造において、
床面には多数の空気供給部を開口し、
床面と、人工芝との間には多数の独立した支持体を形成し、
隣接した支持体の間に、連続した空気通路を形成し、
床面の空気供給部から、人工芝の単位面積当たり重量を越えない空気圧の空気をこの空気通路に供給することによって、人工芝の重量を支持するように構成した、人工芝の敷設構造。
【請求項２】
床面と、人工芝との間に形成した空気通路は、人工芝の下面に形成して構成した、請求項１記載の人工芝の敷設構造。
【請求項３】
床面と、人工芝との間に形成した空気通路は、床面に形成して構成した、請求項１記載の人工芝の敷設構造。
【請求項４】
空気の供給部は、点状である、請求項１記載の人工芝の敷設構造。
【請求項５】
空気の供給部は、線状である、請求項１記載の人工芝の敷設構造。
【発明の詳細な説明】
【０００１】
【発明の属する技術分野】
本発明は、人工芝の敷設構造に関するものである。
【０００２】
【従来の技術】
サッカーなどの競技場は芝生を植えておく必要があるが、その他の競技に利用したり、あるいは展示会場、コンサートホールとして使用する場合には芝生は不要である。
そのために、必要な場合にはコンクリート製、木製の床の上に人工芝を展開して敷設し、不要な場合にはそれを巻き取って撤去できる構造の競技場が開発されている。
特に最近は広大な人工芝を軽快に展開するために床面から空気を供給して人工芝を下から浮き上げて行う方法が実用化されている。
これは人工芝を巻き取って床下に収納しておき、展開時には人工芝と床面との間に床に開口した排気口から多量の空気を吹き込み、その付近の人工芝を床面から完全に浮き上がらせ、その空気流路を前面に拡大して広範囲にわたって人工芝の浮上を行う構成である。
【０００３】
【本発明が解決しようとする課題】
前記した従来の人工芝の敷設構造にあっては、次のような問題点がある。
＜イ＞人工芝の浮上中に、人工芝と床面との間に大きな空気溜りが生じている。
この空気溜りは人工芝の浮上中は問題がないが、空気の供給を停止して床面の上に展開すると、図７に示すように空気溜りａが独立した山状の膨らみとして多数分散して発生する。したがってこのままでは危険で競技することはできない。
＜ロ＞そこで空気を抜くためにローラーで転圧するなどの多大の手数を要する。
さらに空気の抜けたあとでも人工芝にはしわが残り、そのしわを伸ばす作業にも多大な時間を労力を要する。
【０００４】
【本発明の目的】
本発明は上記したような従来の問題を解決するためになされたもので、空気溜りを発生させず、短時間に整然とした人工芝の敷設を行うことができる、人工芝の敷設構造を提供することを目的とする。
【０００５】
【課題を解決するための手段】
上記のような目的を達成するために、本発明の人工芝の敷設構造は、床面上に人工芝を引き出して展開する敷設構造において、床面には多数の空気供給部を開口し、床面と、人工芝との間には多数の独立した支持体を形成し、隣接した支持体の間に、連続した空気通路を形成し、床面の空気供給部から、人工芝の単位面積当たり重量を越えない空気圧の空気をこの空気通路に供給することによって、人工芝重量の単位面積当たり重量を越えない空気圧を供給して支持するように構成した、人工芝の敷設構造を特徴としたものである。
【０００６】
【本発明の実施の態様】
以下図面を参照しながら本発明の人工芝の敷設構造の実施例について説明する。
【０００７】
＜イ＞床面の構造。
床面１はコンクリート製、木製などにより平面を維持しており、人工芝を敷設しない場合には各種の球技の競技場、あるいはコンサートなどの客席、展示場の床として利用することができる。
その床面１の上に人工芝７を敷設すれば、サッカー、アメリカンフットボールなどの競技場として利用することができる。
【０００８】
＜ロ＞空気供給口。
床面１には複数本の溝２を形成する。
この溝２の上部は、取り付け、取り外し自在の蓋３によって被覆する。
蓋３で被覆した場合に、蓋３の上面と床面１とが同一平面を形成する。
蓋３は独立した板体であり、１枚の蓋３と隣接する蓋３との間には空気の供給口４を介在させる。
【０００９】
＜ハ＞空気供給路。
隣接する蓋３と蓋３との間隔を空気の供給口４として構成する方法以外に、溝２に蓋３をせず、溝２をそのまま空気供給路として構成することができる。
その場合に幅の狭い溝２を形成すれば、その上に敷設する人工芝７の平面性に影響を与えることはなく、人工芝７を撤去した場合にも床面１１の利用の障害とならない。
このように空気供給部は、点状の供給口４でも、あるいは線状の供給路であっても本発明の目的を達成することができる。
【００１０】
＜ニ＞空気供給構造。
溝２の一部には空気を供給するパイプの一端を開口する。
供給する空気は外部の送風機やコンプレッサーによって製造し、供給パイプを通して溝２内に、人工芝の単位面積当たり重量を越えない圧の空気を供給することができる。
【００１１】
＜ホ＞人工芝７の収納装置。
床面１の端部には地下室を設け、この地下室に人工芝７の巻き取りドラム６を設置する。巻き取りドラム６の回転によって床面１上に展開して敷設した人工芝７を巻き取って回収することができる。
【００１２】
＜ヘ＞人工芝７の引き出し装置８。
床面１の他端の地下には人工芝７の引き出し装置８を設ける。
これはロープ９を巻き取るドラムである。
人工芝７にはその一縁に引っ張り方向と直交する方向に枠を取り付ける。この枠にロープ９を取り付け、ロープ９を巻き取ることによって人工芝７を引き出すことができる。
【００１３】
＜ト＞支持体の介在。
床面１と人工芝７との間には多数の独立した支持体１０を介在させる。
支持体１０例えば半球状、角柱状その他の形状の突起である。
多数の突起を支持体１０として突設することによって、隣接した支持体１０の間には、連続した空気通路１１を形成することができる。
したがってこの支持体１０の間に空気を供給すれば、空気は連続した空気通路１１を通って、広い範囲に広がって人工芝７に対して上向きの圧力を与えることになる。
【００１４】
＜チ＞空気通路の一例（人工芝に設ける場合）。
人工芝７の上面は、基礎となるシートの上に合成樹脂製の芝を取り付けた構造である。
一方、人工芝７の下面には、多数の独立した支持体１０を形成する。
この支持体１０は茶碗のような半球体に形成する。すると茶碗状の支持体１０群の間には連続した空気通路１１を形成することができる。
【００１５】
＜リ＞空気通路の他の例（床面に設ける場合）。
床面１の上に多数の直方体、半球体などをならべて支持体１０とすることもできる。
多数の直方体などをならべることによって、直方体群の間には碁盤の目状に空気通路１１を形成することができる。
【００１６】
＜ヌ＞敷設方法。
次の人工芝７の敷設方法について説明する。
人工芝７は巻き取りドラム６に巻き取ってあり、コンクリート製、あるいは木製の床面１が露出している。
人工芝７を敷設するに際しては人工芝７の一縁の桟にロープ９を取り付け、このロープ９を床の他端のドラムで巻き取る。
すると人工芝７を全面にわたって 床面１上に引き出すことができる。
【００１７】
＜ル＞空気の供給。
この際に、床面１の空気供給口４から空気を供給する。
空気は支持体１０の間に連続して配置して形成してある空気通路１１に供給される。したがって人工芝７に対して全面にわたって下から上向きの力を与えることができる。
供給する空気の圧力は、例えば人工芝７の単位面積当たり重量を越えない範囲に制御する。
すると人工芝７は床面１から離れない状態で、かつ支持体１０に荷重が加わらない状態でその状態を維持することができる。
こうして摩擦抵抗が小さな状態で水平方向に引き出せば、軽快に人工芝７を展開することができる。
【００１８】
【本発明の効果】
本発明の人工芝の敷設構造は以上説明したようになるから次のような効果を得ることができる。
＜イ＞床面１と人工芝７の下面との間には全面に連続した空気通路１１を形成してあり、この空気通路１１に供給した空気が人工芝７に上向きの力を与える構造である。そのために人工芝７は支持体１０が床面１にわずかに接触する状態で、床面１から離れることなく全重量を支持することができる。
したがって空気の供給位置が一定の位置に集中して空気溜まりを形成することがない。そのために従来のような空気溜りを除去したり、しわを伸ばしたりする労力や時間が発生せず、簡単に整然と敷設することができる。
＜ロ＞人工芝７が床面１から離れていないのに、全重量を空気圧で支持しているから、水平方向へのわずかな力で軽快に移動させることができる。
したがってまき出し、巻き取り作業とも、簡易な装置によって短時間に行うことができるからきわめて経済的である。
＜ハ＞人工芝を持ち上げるのではないから微量の空気の供給によって操作することができる。したがって空気を供給する装置も送風機程度の簡易なもので足り、経済的である。
【図面の簡単な説明】
【図１】本発明の人工芝７の敷設構造の実施例の説明図。
【図２】その断面図。
【図３】空気の供給口の実施例の説明図。
【図４】人工芝の実施例の説明図。
【図５】空気通路の実施例の説明図。
【図６】空気通路の他の実施例の説明図。
【図７】従来の人工芝の敷設状態の説明図。
【図１】
0003673911.tif 000002
【図２】
0003673911.tif 000003
【図３】
0003673911.tif 000004
【図４】
0003673911.tif 000005
【図５】
0003673911.tif 000006
【図６】
0003673911.tif 000007
【図７】
0003673911.tif 000008